(57)【要約】【課題】容易に折り畳み又は解体できてコンパクトに処分でき、廃棄する際の労力を軽減できる段ボール等の厚紙類でできた包装用紙箱の提供を課題とする。【解決手段】段ボール等の厚紙類で構成され、少なくとも各面板１２、１４、１６、１８、２０間に設けられた４本の折罫４０、４２、４４、４６によって四角筒状に形成される胴部を備えた６面体構造の紙箱１０において、平面視で前記胴部の対角線上に位置する２本の折罫４０、４４を折り曲げて、その胴部を略平面状に折り畳んだとき、残り２本の折罫４２、４６が当接する面板１２、１８の少なくとも一方に、その当接した折罫４２、４６に沿って折曲線又は切断線６６、６８を設ける。【選択図】      図３
2004182328.tif 000002
【特許請求の範囲】
【請求項１】
段ボール等の厚紙類で構成され、少なくとも各面板間に設けられた４本の折罫によって四角筒状に形成される胴部を備えた６面体構造の紙箱において、
平面視で前記胴部の対角線上に位置する２本の折罫を折り曲げて、その胴部を略平面状に折り畳んだとき、
残り２本の折罫が当接する面板の少なくとも一方に、その当接した折罫に沿って折曲線を設けたことを特徴とする紙箱。
【請求項２】
前記折曲線の延長線上に面板が存在している場合、その面板にも折曲線を延長して設けたことを特徴とする請求項１に記載の紙箱。
【請求項３】
段ボール等の厚紙類で構成され、少なくとも各面板間に設けられた４本の折罫によって四角筒状に形成される胴部を備えた６面体構造の紙箱において、
平面視で前記胴部の対角線上に位置する２本の折罫を折り曲げて、その胴部を略平面状に折り畳んだとき、
残り２本の折罫が当接する面板の少なくとも一方に、その当接した折罫に沿って切断線を設けたことを特徴とする紙箱。
【請求項４】
前記切断線の延長線上に面板が存在している場合、その面板にも切断線を延長して設けたことを特徴とする請求項３に記載の紙箱。
【請求項５】
前記面板に当接する折罫には、切断線が設けられていることを特徴とする請求項３又は４に記載の紙箱。
【請求項６】
前記切断線が、ミシン目であることを特徴とする請求項３乃至５の何れかに記載の紙箱。
【発明の詳細な説明】
【０００１】
【発明の属する技術分野】
本発明は、段ボール等の厚紙類で構成された包装用の紙箱に関し、更に詳しくは、廃棄する際に、容易に折り畳み又は解体できて、コンパクトに処分できる紙箱に関する。
【０００２】
【従来の技術】
従来、例えば精密機器等の包装材として用いられる紙箱は、保管中や輸送中等において、内部に収容されている精密機器等が破損しないように、比較的強度の高い段ボール等の厚紙類で成形されることが多い。特に段ボールは、丈夫で耐久性に優れているため、精密機器等の重量物品の保管・輸送等に適しており、包装材にかかるコストの低減が図れる点においても有効となっている（例えば、特許文献１参照）。
【０００３】
【特許文献１】
特開平１０−２９７６２６号公報
【０００４】
【発明が解決しようとする課題】
しかしながら、このような段ボールは強度が高い分、人手で折り畳んだり、解体するのが容易ではなく、廃棄時において嵩張ることが多かった。特に大きさの大きい段ボールの場合、解体する時間と手間がかかるため、廃棄するだけでも煩瑣な作業になっていた。
【０００５】
そこで、本発明は、容易に折り畳み又は解体することができて、コンパクトに処分でき、廃棄する際の労力を軽減することができる、段ボール等の厚紙類でできた包装用の紙箱を得ることを目的とするものである。
【０００６】
【課題を解決するための手段】
上記の目的を達成するために、本発明に係る請求項１に記載の紙箱は、段ボール等の厚紙類で構成され、少なくとも各面板間に設けられた４本の折罫によって四角筒状に形成される胴部を備えた６面体構造の紙箱において、平面視で前記胴部の対角線上に位置する２本の折罫を折り曲げて、その胴部を略平面状に折り畳んだとき、残り２本の折罫が当接する面板の少なくとも一方に、その当接した折罫に沿って折曲線を設けたことを特徴としている。
【０００７】
これによれば、紙箱の胴部を略平面状に折り畳んだ後、折曲線及びそれに重なる折罫を折り曲げることにより、容易にその紙箱を略半分の大きさに折り畳むことができる。したがって、段ボール等の厚紙類で成形された紙箱であっても、その折り畳みにより、コンパクトに纏めることが可能となり、廃棄する作業が至便にできるようになる。
【０００８】
そして、請求項２に記載の紙箱は、請求項１に記載の紙箱において、前記折曲線の延長線上に面板が存在している場合、その面板にも折曲線を延長して設けたことを特徴としている。これによれば、紙箱の形状によらずに、折り畳みやすくすることができる。
【０００９】
また、請求項３に記載の紙箱は、段ボール等の厚紙類で構成され、少なくとも各面板間に設けられた４本の折罫によって四角筒状に形成される胴部を備えた６面体構造の紙箱において、平面視で前記胴部の対角線上に位置する２本の折罫を折り曲げて、その胴部を略平面状に折り畳んだとき、残り２本の折罫が当接する面板の少なくとも一方に、その当接した折罫に沿って切断線を設けたことを特徴としている。
【００１０】
これによれば、紙箱の胴部を略平面状に折り畳んだ後、切断線及びそれに重なる折罫を切断することにより、容易にその紙箱を略半分の大きさに分断・解体することができる。したがって、段ボール等の厚紙類で成形された紙箱であっても、その切断により、コンパクトに纏めることが可能となり、廃棄する作業が至便にできるようになる。
【００１１】
そして、請求項４に記載の紙箱は、請求項３に記載の紙箱において、前記切断線の延長線上に面板が存在している場合、その面板にも切断線を延長して設けたことを特徴としている。これによれば、紙箱の形状によらずに、分断・解体しやすくすることができる。
【００１２】
また、請求項５に記載の紙箱は、請求項３又は４に記載の紙箱において、前記面板に当接する折罫には、切断線が設けられていることを特徴としている。これによれば、解体（分断）時に、切断線に重なる折罫を容易に切断することができる。
【００１３】
また、請求項６に記載の紙箱は、請求項３乃至５の何れかに記載の紙箱において、前記切断線が、ミシン目であることを特徴としている。これによれば、紙箱を人手で簡単に、かつ好適に切断することができる。
【００１４】
【発明の実施の形態】
以下、本発明の実施の形態を図面に示す実施例を基に詳細に説明する。図１は本発明に係る紙箱１０のブランク板を示す展開図であり、図２は同じく天部を開放した状態の斜視図である。また、図３は同じく胴部を折り畳む途中の状態を示した斜視図であり、図４（Ａ）は同じく胴部を折り畳んだ際の正面図、図４（Ｂ）は同じく胴部を折り畳んだ際の背面図である。そこで、まず、紙箱１０のブランク板について説明する。ブランク板（紙箱１０）は１枚の段ボール板で構成され、後述するように、各面板が複数の折罫によって区切られている。
【００１５】
すなわち、図１で示すように、正面板１２の両側縁には折罫４０、４２を介して側面板１４、１６が連設され、その一方の側面板１６の側縁には折罫４４を介して背面板１８が連設されている。そして、その背面板１８の側縁には折罫４６を介して貼着板２０が連設されており、正面板１２、側面板１４、１６、背面板１８により紙箱１０の胴部が構成されている。なお、貼着板２０は背面板１８ではなく、他方の側面板１４の側縁に折罫を介して連設されていてもよい。
【００１６】
また、正面板１２の下縁には折罫４８を介して内底面板２２が連設され、上縁には折罫５０を介して内天面板２４が連設されている。この内天面板２４は、紙箱１０を組み立てたとき、箱内を上下に２分割する仕切板になっており、折罫５０と平行な折罫５２が２本、所定間隔を隔てて設けられている。また、背面板１８の下縁には折罫５４を介して外底面板２６が連設され、上縁には折罫５６を介して外天面板２８が連設されている。そして、側面板１４、１６の下縁及び上縁にはそれぞれ折罫５８、６０を介して底部サイドフラップ３０及び天部サイドフラップ３２が連設されている。
【００１７】
また、内天面板２４の折罫５０側中央には正面視略コ字状の切り込み３８が設けられており、その先端が所定長さ正面板１２に至っている。そして、内底面板２２の折罫４８側中央にも正面視略コ字状の切り込み３８が設けられており、その先端が所定長さ正面板１２に至っている。しかして、それぞれの切り込み３８の終端部同士を結ぶ仮想直線をヒンジ部Ｈとすることにより、係止フラップ３６が形成されるようになっている。
【００１８】
また、外底面板２６の下縁と外天面板２８の上縁には、差込フラップ３４が折罫６２、６４をそれぞれ介して連設されており、その折罫６２、６４の中央部には係止フラップ３６が挿入可能な幅の切り込み６２Ａ、６４Ａが設けられている。そして更に、略コ字状の切り込み３８の両側で、かつ、折罫４８、５０上には、その切り込み３８と連続した切り込み４８Ａ、５０Ａが所定長さ設けられており、ヒンジ部Ｈを中心に係止フラップ３６を折り曲げて待避させることにより、差込フラップ３４がその切り込み４８Ａ、５０Ａ内に挿入可能になっている。
【００１９】
したがって、この紙箱１０を組み立てるときには、まず、折罫４０〜４６を折り曲げて、貼着板２０の表面を側面板１４の裏面に接着する。このときの接着剤としては、ホットメルトやコールドグルー等が採用できる。こうして、紙箱１０の四角筒状の胴部が構成される。次いで、底部サイドフラップ３０を折罫５８に沿って折り曲げ、内底面板２２を折罫４８に沿って折り曲げる。そして、外底面板２６を折罫５４に沿って折り曲げる。
【００２０】
そして更に、差込フラップ３４を折罫６２に沿って折り曲げ、折罫４８上に設けられた切り込み４８Ａに挿入するが、このとき、略コ字状の切り込み３８によって形成された係止フラップ３６をヒンジ部Ｈによって外方側へ折り曲げて待避させてから挿入する。そして、その後、係止フラップ３６を折罫６２上に設けられた切り込み６２Ａに挿入する。これにより、紙箱１０の底部が封緘される。
【００２１】
続いて、内天面板２４を折罫５０に沿って折り曲げるが、このとき、所定間隔を隔てて設けられた２本の折罫５２は、折罫５０と反対方向に折り曲げる。そして、正面板１２から遠い方の折罫５２より先端側が、背面板１８の裏面に当接された状態で、内天面板２４が、箱内における所定位置（折罫５０と折罫５２との間隔分上縁から下がった位置）にて支持されることにより、箱内を上下に２分割する仕切板とされる（図２参照）。このように、箱内の収納スペースが上下に２分割されると、例えば下方に精密機器等の商品を収納し、内天面板２４上にその商品の取り扱い説明書等を収納することが可能となる。
【００２２】
その後、天部サイドフラップ３２を折罫６０に沿って折り曲げ、外天面板２８を折罫５６に沿って折り曲げるとともに、差込フラップ３４を折罫６４に沿って折り曲げる。そして、上記と同様に、折罫５０上の切り込み５０Ａに、差込フラップ３４を挿入し、かつ、折罫６４上の切り込み６４Ａに係止フラップ３６を挿入する。これにより、紙箱１０の天部が封緘される。
【００２３】
こうして、紙箱１０が組み立てられるが、次にこの紙箱１０を廃棄する際の取り纏め手段、即ち折り畳み手段（折曲線）と解体手段（切断線）について説明をする。図１で示すように、外天面板２８、背面板１８、外底面板２６、差込フラップ３４の所定位置には、折り畳みを容易にする折曲線か、あるいは解体を容易にする切断線が設けられている。折曲線は、例えば表裏どちらか一方の片面に非貫通のミシン目（ハーフカット）や折罫（共に図示省略）が折罫４０〜４６と平行に設けられて構成され、切断線は、例えば表裏両面に貫通しているミシン目６６が折罫４０〜４６と平行に設けられて構成される。
【００２４】
そして、これら折曲線や切断線（ミシン目６６）は、胴部を組み立てた後（貼着板２０を側面板１４に接着後）、例えば図３、図４で示すように、折罫４０と折罫４４を折り曲げて略平面状に折り畳んだとき、折罫４２が位置する部位（折罫４４からの距離が側面板１６の幅と同じ長さ位置）に設けられるようになっている。このような部位に折曲線又は切断線（ミシン目６６）を設けると、図４（Ａ）、図４（Ｂ）にそれぞれ対応する図５（Ａ）、図５（Ｂ）で示すように、例えば解体する場合には、ミシン目６６を切断すると共に、そのミシン目６６に重なる折罫４２も切断することにより、紙箱１０を容易に２つに分断することができる。
【００２５】
したがって、紙箱１０を廃棄する際に、貼着板２０を側面板１４から剥ぎ取る等の作業をしなくても、人手で簡単に、かつ好適に、紙箱１０を折り畳み又は解体することができるので、従来、廃棄するのに嵩張っていた段ボール製の紙箱１０であっても、略半分の大きさ、即ち正面板１２の横幅程度の大きさに、コンパクトに取り纏めることが可能となり、廃棄時の労力（時間や手間）を軽減することができる。なお、折罫４２部分は脆弱になりやすい部分であるため、解体時、その折罫４２に沿って切断することは比較的容易にできるが、その折罫４２にも切断線としてのミシン目やハーフカット等を設けてもよく、その場合は折罫４２の切断が容易にできる。
【００２６】
また、図１乃至図５で示すものは、切断線としてのミシン目がもう１本設けられている例であり、内天面板２４、正面板１２、内底面板２２の所定位置、即ち図３、図４で示すように、折罫４６が位置する部位（折罫４０からの距離が側面板１４の幅と同じ長さ位置）にミシン目６８が設けられている。このように切断線としてのミシン目６６、６８は、折罫４０と折罫４４を折り曲げる折り畳み方の場合で、２本まで設けることが可能であり、切断するときには、どちらか一方を切断すれば充分であるが、２本共切断してもよいことは言うまでもない。２本共切断した場合は、紙箱１０は４つに分断される。また、ミシン目６８を設けた場合、それに重なる折罫４６にも切断線としてのミシン目やハーフカット等を設けると、上記と同様に、折罫４６の切断が容易にできる。
【００２７】
何れにしても、折曲線や切断線（ミシン目６６、６８）は、紙箱１０の種類（形状）によって、折曲あるいは切断がしやすくなるように、適宜位置に配設されていればよく、例えば内天面板２４や内底面板２２等の面板が連設されていない（必要ない）紙箱の場合には、ミシン目６８は、当然ながら正面板１２のみに設けられる。また、図示のものは、差込フラップ３４にもミシン目６６が延長されて設けられているが、差込フラップ３４は比較的コンパクトに構成され、容易に折曲あるいは切断することができるので、差込フラップ３４にはミシン目６６を設けなくても構わない。
【００２８】
以上のような構成の紙箱１０において、次にその解体作業の一過程を図１乃至図５で示すミシン目６６の場合を例にとって説明する。なお、折り畳み作業は、解体作業において、切断の代わりに折り曲げとなるだけなので、その説明を省略する。紙箱１０は、廃棄される際には、図２で示すように、商品等の取り出しにより、天部がすでに開封された状態になっている。そこで、まず紙箱１０の底部を開封する。このとき、係止フラップ３６を切り込み６２Ａから抜き取り、更に差込フラップ３４を切り込み４８Ａから抜き取るだけで簡単に開封することができる。
【００２９】
そして、図３、図４で示すように、折罫４０と折罫４４を折り曲げ、胴部を略平面状に折り畳む。すなわち、正面板１２の裏面に側面板１４の裏面が接触し、側面板１６の裏面に背面板１８の裏面が接触するように折り畳む。すると、折罫４２とミシン目６６とが正面視で重なり合い、折罫４６とミシン目６８とが背面視で重なり合う。この状態で、どちらか一方のミシン目、この場合はミシン目６６を切断すると共に、そのミシン目６６と重なり合っている折罫４２を切断する。このとき、折罫４２は折り目が付いている分、他の部分に比べて脆弱になっているので、容易に切断することができるが、切断線としてのミシン目等が設けられていれば、それに沿って切断すればよい。
【００３０】
こうして、ミシン目６６及び折罫４２を切断すると、図５で示すように、紙箱１０は２つに分断され、例えばそれらを重ね合わせて束ねると、正面板１２の横幅程度の幅に纏めることができる。しかして、このような紙箱１０を廃棄する際の労力、即ち時間や手間等が軽減され、廃棄スペースも低減される。なお、ミシン目６８と折罫４６を切断しても同様な効果が得られることは言うまでもない。
【００３１】
紙箱１０は以上のような構成であるが、次に、その胴部の折り畳み方によらない別実施例の紙箱１１について、図６乃至図８を基に説明する。すなわち、折罫４０、４４を折り曲げる場合はもちろん、折罫４２、４６を折り曲げても切断可能となる場合について説明する。なお、説明の便宜上、図１乃至図５と同等のものには同じ符号を付けてその説明を省略する。
【００３２】
図６で示すように、外天面板２８と背面板１８と外底面板２６において、図１で示したミシン目６６と左右対称の位置（折罫４６からの距離が側面板１４の幅と同じ長さ位置）にミシン目７０を設ける。そして、同様に、内天面板２４と正面板１２と内底面板２２において、図１で示したミシン目６８と左右対称の位置（折罫４２からの距離が側面板１６の幅と同じ長さ位置）にミシン目７２を設ける。
【００３３】
このような構成にすると、胴部を、図７で示すように折罫４０、４４で折り畳んでも、図８で示すように折罫４２、４６で折り畳んでも、折罫４０〜４６の何れかと、ミシン目６６〜７２の何れかとは必ず重なり合うので、上記と同様の作用により、紙箱１１を容易に切断することが可能となる。すなわち、図７で示す折り畳み方の場合は、ミシン目６６と折罫４２が重なり合い、ミシン目６８と折罫４６とが重なり合って、上記図１乃至図５と全く同様になるが、図８で示す折り畳み方の場合は、ミシン目７０と折罫４０とが重なり合い、ミシン目７２と折罫４４とが重なり合う。
【００３４】
しかして、このような折り畳み方の場合でも、ミシン目７０と折罫４０、又はミシン目７２と折罫４４のどちらか一方を切断することにより、紙箱１１を容易に２つに分断することができる。なお、ミシン目７０と折罫４０、及びミシン目７２と折罫４４の両方を切断した場合は、紙箱１１は４つに分断されることは言うまでもない。また、切断するミシン目７０、７２に合わせて、折罫４０、４４にも切断線としてのミシン目やハーフカット等を設けてもよい。
【００３５】
何れにしても、切断線としてのミシン目は１本〜４本設けられ、それによって紙箱は２つ〜４つに分断される。つまり、ミシン目は最大４本まで設けることが可能であり、その数量が多ければ多いほど、胴部の折り畳み方の自由度が増して切断作業が至便になるが、実際には、紙箱の強度が損なわれない程度に、内容物の形状や重量等も考慮して、適宜その数量を設定すればよい。なお、折曲線の場合も切断線と同様に最大４本まで設けることが可能であるが、紙箱は２つに折り畳めれば充分である。
【００３６】
以上、説明したように、本発明は、紙箱の胴部を折り畳んだ際、その胴部における折罫（及びその延長線）に対向する（当接する）面板に、その折罫に沿った折曲線又は切断線（ミシン目等）を設けたので、紙箱を廃棄する際、その紙箱を容易に折り畳む又は複数に分断することができる。したがって、紙箱を廃棄する作業が至便にできるようになり（廃棄する紙箱の幅をコンパクトな幅に纏めることができるようになり）、廃棄する際の労力を軽減することができる。
【００３７】
なお、切断線に沿って切断するのではなく、単に折り曲げることも可能であり、折曲線及び切断線は任意のものを採用し得る。また、紙箱１０、１１の形状は図示のものに限定されるものではなく、例えば内天面板２４が仕切板を兼ねる構成でなくてもよい。更に、紙箱は段ボールで構成されるものに限定されるものではなく、それに近い厚紙類でも同様である。
【００３８】
【発明の効果】
本発明によれば、段ボール等の厚紙類で成形された紙箱であっても、容易にその紙箱を折り畳み又は分断・解体することができて、コンパクトに纏めることができるので、廃棄する作業が至便にできる。
【図面の簡単な説明】
【図１】本発明に係る紙箱のブランク板を示す展開図
【図２】同上の天部を開放した状態の斜視図
【図３】同上の天部と底部を開放し、胴部を折り畳む途中の状態を示す斜視図
【図４】（Ａ）同上の胴部を折り畳んだ状態を示す正面図
（Ｂ）同上の胴部を折り畳んだ状態を示す背面図
【図５】（Ａ）図４（Ａ）においてミシン目と折罫を切断した状態を示す正面図
（Ｂ）図４（Ｂ）においてミシン目と折罫を切断した状態を示す背面図
【図６】本発明に係る別実施例の紙箱のブランク板を示す展開図
【図７】（Ａ）同上の胴部を折り畳んだ状態を示す正面図
（Ｂ）同上の胴部を折り畳んだ状態を示す背面図
【図８】（Ａ）図７とは別方向に折り畳んだ状態を示す正面図
（Ｂ）図７とは別方向に折り畳んだ状態を示す背面図
【符号の説明】
１０  紙箱
１２  正面板
１４  側面板
１６  側面板
１８  背面板
２０  貼着板
２２  内底面板
２４  内天面板
２６  外底面板
２８  外天面板
３０  底部サイドフラップ
３２  天部サイドフラップ
３４  差込フラップ
３６  係止フラップ
３８  切り込み
４０〜６４  折罫
６６〜７２  ミシン目（切断線）
【図１】
2004182328.tif 000003
【図２】
2004182328.tif 000004
【図３】
2004182328.tif 000005
【図４】
2004182328.tif 000006
【図５】
2004182328.tif 000007
【図６】
2004182328.tif 000008
【図７】
2004182328.tif 000009
【図８】
2004182328.tif 000010